【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
ポンプ装置本体に、流入口に連通する流入路と、該流入路に配置された流入側アクティブバルブと、前記流入路に接続されたポンプ室と、該ポンプ室に配置されたポンプ機構と、前記ポンプ室から延びて複数の流出口の各々に連通する複数の流出路と、該複数の流出路の各々に配置された流出側アクティブバルブとが構成され、
前記流出側アクティブバルブは、前記ポンプ室の周りに平面状に配置されていることを特徴とするポンプ装置。
【請求項２】
請求項１において、前記複数の流出路では、前記ポンプ室から前記流出側アクティブバルブまでの流路の長さが等しいことを特徴とするポンプ装置。
【請求項３】
請求項１または２において、前記流入口および前記複数の流出口は、前記ポンプ装置本体の同一の面で開口していることを特徴とするポンプ装置。
【請求項４】
請求項３において、前記流入側アクティブバルブ、前記ポンプ機構および前記流出側アクティブバルブに対する配線基板は、前記ポンプ装置本体において、前記流入口および前記複数の流出口が開口している面とは異なる側の面に積層されていることを特徴とするポンプ装置。
【請求項５】
請求項１ないし４のいずれかにおいて、前記ポンプ装置本体は、前記流出路が一方面側に溝状に形成された流路構成板と、該流路構成板の前記一方面側に重ねて配置されたシート状封止部材とを備えていることを特徴とするポンプ装置。
【請求項６】
請求項５において、前記ポンプ装置本体は、前記ポンプ機構が内部に収納されたベース板を有しているとともに、当該ベース板に前記流路構成板が積層されており、
前記ポンプ機構はダイヤフラム弁を備え、
当該ダイヤフラム弁は、外周部分が前記ベース板と前記流路構成板との間に挟持されていることを特徴とするポンプ装置。
【請求項７】
請求項５において、前記ポンプ装置本体は、前記流入側アクティブバルブおよび前記流出側アクティブバルブが内部に収納されたベース板を有しているとともに、当該ベース板に前記流路構成板が積層されており、
前記流入側アクティブバルブおよび前記流出側アクティブバルブは各々、ダイヤフラム弁を備え、
当該ダイヤフラム弁はいずれも、外周部分が前記ベース板と前記流路構成板との間に挟持されていることを特徴とするポンプ装置。
【請求項８】
少なくとも、起電部を有する起電装置と、燃料を収容する収容容器と、該収容容器から前記燃料を供給するポンプ装置とを有する燃料電池であって、
前記ポンプ装置は、流入口に連通する流入路と、該流入路に配置された流入側アクティブポンプと、前記流入路に接続されたポンプ室と、該ポンプ室に配置されたポンプ機構と、前記ポンプ室から延びて複数の流出口の各々に連通する複数の流出路を有し、
該複数の流出路の各々に配置された流出側アクティブバルブは、前記ポンプ室の周りに平面状に配置されていることを特徴とする燃料電池。
【請求項９】
請求項８において、前記ポンプ装置の前記複数の流出路では、前記ポンプ室から前記流出側アクティブバルブまでの流路の長さが等しいことを特徴とする燃料電池。
【請求項１０】
請求項８または９において、前記ポンプ装置の前記流入口および前記複数の流出口は、前記ポンプ装置本体の同一の面で開口していることを特徴とする燃料電池。
【請求項１１】
請求項１０において、前記流入側アクティブバルブ、前記ポンプ機構および前記流出側アクティブバルブに対する配線基板は、前記ポンプ装置において、前記流入口および前記複数の流出口が開口している面とは異なる側の面に積層されていることを特徴とする燃料電池。
【請求項１２】
請求項８ないし１１のいずれかにおいて、前記ポンプ装置は、前記流出路が一方面側に溝状に形成された流路構成板と、該流路構成板の前記一方面側に重ねて配置されたシート状封止部材とを備えていることを特徴とする燃料電池。
【請求項１３】
請求項１２において、前記ポンプ装置は、前記ポンプ機構が内部に収納されたベース板を有しているとともに、当該ベース板に前記流路構成板が積層されており、
前記ポンプ機構はダイヤフラム弁を備え、
前記ダイヤフラム弁は、外周部分が前記ベース板と前記流路構成板との間に挟持されていることを特徴とする燃料電池。
【請求項１４】
請求項１２において、前記ポンプ装置は、前記流入側アクティブバルブおよび前記流出側アクティブバルブが内部に収納されたベース板を有しているとともに、当該ベース板に前記流路構成板が積層されており、
前記流入側アクティブバルブおよび前記流出側アクティブバルブは各々、ダイヤフラム弁を備え、当該ダイヤフラム弁はいずれも、外周部分が前記ベース板と前記流路構成板との間に挟持されていることを特徴とする燃料電池。
【手続補正２】
【補正対象書類名】明細書
【補正対象項目名】発明の名称
【補正方法】変更
【補正の内容】
【発明の名称】ポンプ装置および燃料電池
【手続補正３】
【補正対象書類名】明細書
【補正対象項目名】０００１
【補正方法】変更
【補正の内容】
【０００１】
本発明は、ポンプ装置本体で流入口および複数の流出口が開口するポンプ装置、およびそれを備えた燃料電池に関するものである。
【手続補正４】
【補正対象書類名】明細書
【補正対象項目名】０００８
【補正方法】変更
【補正の内容】
【０００８】
そこで、本発明の課題は、流体を吐出する複数の流出路を備えつつ、適切量の流体を精度よく吐出することができるポンプ装置、およびそれを備えた燃料電池を提供することにある。
【手続補正５】
【補正対象書類名】明細書
【補正対象項目名】０００９
【補正方法】変更
【補正の内容】
【０００９】
上記課題を解決するために、本発明のポンプ装置では、ポンプ装置本体には、流入口に連通する流入路と、該流入路に配置された流入側アクティブバルブと、前記流入路に接続されたポンプ室と、該ポンプ室に配置されたポンプ機構と、前記ポンプ室から延びて複数の流出口の各々に連通する複数の流出路と、該複数の流出路の各々に配置された流出側アクティブバルブとが構成され、前記流入側アクティブバルブおよび前記流出側アクティブバルブは、前記ポンプ室の周りに平面状に配置されていることを特徴とする。また、本発明では、少なくとも、起電部を有する起電装置と、燃料を収容する収容容器と、該収容容器から前記燃料を供給するポンプ装置とを有する燃料電池であって、前記ポンプ装置は、流入口に連通する流入路と、該流入路に配置された流入側アクティブポンプと、前記流入路に接続されたポンプ室と、該ポンプ室に配置されたポンプ機構と、前記ポンプ室から延びて複数の流出口の各々に連通する複数の流出路を有し、該複数の流出路の各々に配置された流出側アクティブバルブは、前記ポンプ室の周りに平面状に配置されていることを特徴とする。
【手続補正６】
【補正対象書類名】明細書
【補正対象項目名】００１１
【補正方法】変更
【補正の内容】
【００１１】
本発明に係るポンプ装置において、前記複数の流出路では、ポンプ室から前記流出側アクティブバルブまでの流路の長さが等しいことが好ましい。また、本発明に係る燃料電池において、前記ポンプ装置の前記複数の流出路では、前記ポンプ室から前記流出側アクティブバルブまでの流路の長さが等しいことが好ましい。このように構成すると、流路抵抗が等しくなり各流出路を介しての吐出量を高い精度で制御することができる。
【手続補正７】
【補正対象書類名】明細書
【補正対象項目名】００１２
【補正方法】変更
【補正の内容】
【００１２】
本発明に係るポンプ装置において、前記流入口および前記複数の流出口は、前記ポンプ装置本体の同一の面で開口していることが好ましい。また、本発明に係る燃料電池において、前記ポンプ装置の前記流入口および前記複数の流出口は、前記ポンプ装置本体の同一の面で開口していることが好ましい。このように構成すると、ポンプ装置と外部との接続が容易である。
【手続補正８】
【補正対象書類名】明細書
【補正対象項目名】００１４
【補正方法】変更
【補正の内容】
【００１４】
本発明に係るポンプ装置において、前記ポンプ装置本体は、前記流出路が一方面側に溝状に形成された流路構成板と、該流路構成板の前記一方面側に重ねて配置されたシート状封止部材とを備えていることが好ましい。また、本発明に係る燃料電池において、前記ポンプ装置は、前記流出路が一方面側に溝状に形成された流路構成板と、該流路構成板の前記一方面側に重ねて配置されたシート状封止部材とを備えていることが好ましい。このような構成を採用すれば、複雑な流路であっても容易に構成できるので、ポンプ装置の小型化、薄型化および低コスト化を図ることができる。
【手続補正９】
【補正対象書類名】明細書
【補正対象項目名】００１５
【補正方法】変更
【補正の内容】
【００１５】
本発明に係るポンプ装置において、前記ポンプ装置本体は、前記ポンプ機構が内部に収納されたベース板を有しているとともに、当該ベース板に前記流路構成板が積層されており、前記ポンプ機構はダイヤフラム弁を備えている場合がある。また、本発明に係る燃料電池において、前記ポンプ装置は、前記ポンプ機構が内部に収納されたベース板を有しているとともに、当該ベース板に前記流路構成板が積層されており、前記ポンプ機構はダイヤフラム弁を備えている場合がある。この場合、当該ダイヤフラム弁は、外周部分が前記ベース板と前記流路構成板との間に挟持されていることが好ましい。このように構成すると、構造を簡素化できるとともに、ダイヤフラム弁自身でベース板と流路構成板との液密を保持できる。
【手続補正１０】
【補正対象書類名】明細書
【補正対象項目名】００１６
【補正方法】変更
【補正の内容】
【００１６】
本発明に係るポンプ装置において、前記ポンプ装置本体は、前記流入側アクティブバルブおよび前記流出側アクティブバルブが内部に収納されたベース板を有しているとともに、当該ベース板に前記流路構成板が積層されており、前記流入側アクティブバルブおよび前記流出側アクティブバルブは各々、ダイヤフラム弁を備えている場合がある。また、本発明に係る燃料電池において、前記ポンプ装置は、前記流入側アクティブバルブおよび前記流出側アクティブバルブが内部に収納されたベース板を有しているとともに、当該ベース板に前記流路構成板が積層されており、前記流入側アクティブバルブおよび前記流出側アクティブバルブは各々、ダイヤフラム弁を備えている場合がある。この場合、当該ダイヤフラム弁はいずれも、外周部分が前記ベース板と前記流路構成板との間に挟持されていることが好ましい。このように構成すると、構造を簡素化できるとともに、ダイヤフラム弁自身でベース板と流路構成板との液密を保持できる。